【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
太陽電池セルの電極に接続され裏面保護材を貫通して引き出された出力リード線を電気的に接続する端子ボックスであって、
前記裏面保護材上に載置固定されるボックスケースと、
前記ボックスケース上に配置され、前記出力リード線を電気的に接続する端子台とを有し、
前記ボックスケースは、前記出力リード線を前記端子台の上方まで通すための開口部を備えており、
前記端子台の一方の縁部に、前記出力リード線の先端部を折り曲げ係止可能なように突出部を設けていることを特徴とする端子ボックス。
【請求項２】
請求項１に記載の端子ボックスであって、
前記開口部は、前記ボックスケースの上面から底面に向かって漸次拡開するテーパ状の貫通穴からなることを特徴とする端子ボックス。
【請求項３】
請求項１または請求項２に記載の端子ボックスであって、
前記ボックスケースに、前記ボックスケースの底面から上面まで達する空気抜き孔が設けられていることを特徴とする端子ボックス。
【請求項４】
太陽電池セルの電極に接続され裏面保護材を貫通して引き出された出力リード線を電気的に接続する端子ボックスを備えた太陽電池モジュールであって、
前記端子ボックスは、
前記裏面保護材上に載置固定されるボックスケースと、
前記ボックスケース上に配置され、前記出力リード線を電気的に接続する端子台とを有し、
前記ボックスケースは、前記出力リード線を前記端子台の上方まで通すための開口部を備えており、
前記端子台の一方の縁部に、前記出力リード線の先端部を折り曲げ係止可能なように突出部を設けていることを特徴とする太陽電池モジュール。
【手続補正２】
【補正対象書類名】明細書
【補正対象項目名】００１９
【補正方法】変更
【補正の内容】
【００１９】
上記課題を解決するため、本発明の端子ボックスは、太陽電池セルの電極に接続され裏面保護材を貫通して引き出された出力リード線を電気的に接続する端子ボックスであって、前記裏面保護材上に載置固定されるボックスケースと、前記ボックスケース上に配置され、前記出力リード線を電気的に接続する端子台とを有し、前記ボックスケースは、前記出力リード線を前記端子台の上方まで通すための開口部を備えており、前記端子台の一方の縁部に、前記出力リード線の先端部を折り曲げ係止可能なように突出部を設けていることを特徴としている。
【手続補正３】
【補正対象書類名】明細書
【補正対象項目名】００２０
【補正方法】変更
【補正の内容】
【００２０】
また、本発明の太陽電池モジュールは、太陽電池セルの電極に接続され裏面保護材を貫通して引き出された出力リード線を電気的に接続する端子ボックスを備えた太陽電池モジュールであって、前記端子ボックスは、前記裏面保護材上に載置固定されるボックスケースと、前記ボックスケース上に配置され、前記出力リード線を電気的に接続する端子台とを有し、前記ボックスケースは、前記出力リード線を前記端子台の上方まで通すための開口部を備えており、前記端子台の一方の縁部に、前記出力リード線の先端部を折り曲げ係止可能なように突出部を設けていることを特徴としている。
【手続補正４】
【補正対象書類名】明細書
【補正対象項目名】００２１
【補正方法】変更
【補正の内容】
【００２１】
上記構成によれば、出力リード線を端子台の上方まで通すための開口部が、ボックスケースの底面から端子台の上面まで一連に形成されている。すなわち、開口部は一つだけであり、従来技術１のように、本体挿通穴１０４と端子台挿通穴１１２とが個別に設けられた構成ではないので、従来技術１の端子ボックスのような無駄なスペースを無くすことができ、端子ボックス自体を小型化することが可能である。
【手続補正５】
【補正対象書類名】明細書
【補正対象項目名】００２２
【補正方法】変更
【補正の内容】
【００２２】
また、本発明によれば、前記開口部は、前記ボックスケースの上面から底面に向かって漸次拡開するテーパ状の貫通穴に形成されている。このようにテーパ状に形成することで、出力リード線を挿通する開口部の下端部の口径が大きくなることから、出力リード線が開口部の縁部に当たって折れ曲がってしまうといった不具合を防止することができる。
【手続補正６】
【補正対象書類名】明細書
【補正対象項目名】００２３
【補正方法】変更
【補正の内容】
【００２３】
また、本発明によれば、前記端子台の一方の縁部に、前記出力リード線の先端部を折り曲げ係止可能なように突出部を設けた構成としてもよい。すなわち、本発明では、開口部から上方に突出した出力リード線をそのまま開口部の縁部に押し当てるようにして端子台の一方の縁部側に折り曲げ、その折り曲げ先端部をさら端子台の一方の縁部の突出部に押し当てるようにして、下方に折り返すまで折り曲げることにより、出力リード線の先端部を端子台に係止固定することが可能となる。すなわち、端子台の開口部の縁部、及び端子台の一方の縁部の突出部の２点をそれぞれ折り曲げ起点として、２回の折り曲げ工程を実施するだけで、出力リード線の先端部を端子台に確実に係止固定することが可能となる。これにより、出力リード線の先端部を端子台に半田付けする次の工程も安定して行うことが可能となり、ＩＥＣ規格に十分準拠した端子ボックスの取り付け構造とすることができる。
【手続補正７】
【補正対象書類名】明細書
【補正対象項目名】００２４
【補正方法】変更
【補正の内容】
【００２４】
また、本発明によれば、前記ボックスケースに、前記ボックスケースの底面から上面まで達する空気抜き孔が設けられた構成としてもよい。空気抜き孔を設けることで、ポッティング材が開口部に流れ込むとき、開口部内及び太陽電池セルの裏面と端子ボックスの底面との隙間に存在している空気が、空気抜き孔から外部に抜けるため、ポッティング材を開口部内（より具体的には、開口部内の太陽電池セルの裏面保護材まで、さらには太陽電池セルの裏面保護材と端子ボックスの底面との隙間まで）確実に充填することができ、空隙の無い樹脂封止を行うことが可能となる。
【手続補正８】
【補正対象書類名】明細書
【補正対象項目名】００２５
【補正方法】変更
【補正の内容】
【００２５】
本発明によれば、出力リード線を端子台の上方まで通すための開口部が、ボックスケースの底面から端子台の上面まで一連に形成されているので、従来技術のように２つの挿通孔を個別に設ける必要がなく、従って、従来技術の端子ボックスのような無駄なスペースを無くして、端子ボックス自体を小型化することができる。
また、端子台の一方の縁部に、出力リード線の先端部を折り曲げ係止可能なように突出部を設けた構成としたので、開口部から上方に突出した出力リード線をそのまま開口部の縁部に押し当てるようにして端子台の一方の縁部側に折り曲げ、その折り曲げ先端部をさら端子台の一方の縁部の突出部に押し当てるようにして、下方に折り返すまで折り曲げることにより、出力リード線の先端部を端子台に係止固定することが可能となる。すなわち、端子台の開口部の縁部、及び端子台の一方の縁部の突出部の２点をそれぞれ折り曲げ起点として、２回の折り曲げ工程を実施するだけで、出力リード線の先端部を端子台に確実に係止固定することが可能となる。これにより、出力リード線の先端部を端子台に半田付けする次の工程も安定して行うことが可能となり、ＩＥＣ規格に十分準拠した端子ボックスの取り付け構造とすることができる。
【手続補正９】
【補正対象書類名】明細書
【補正対象項目名】００４０
【補正方法】変更
【補正の内容】
【００４０】
＜端子ボックスの説明＞
図１は、本発明の端子ボックスの一実施の形態を示しており、（ａ）は概略断面図、（ｂ）は平面図である。また、図２は、端子台部分を分離した状態で示した斜視図である。ただし、端子ボックスは、正極集電部１２０の立ち上がり端子部１２２ａ、及び負極集電部１２１の立ち上がり端子部１２３ａのそれぞれに取り付けられるものであるが、その取り付け構造は同じであるので、本実施形態では、正極集電部１２０の立ち上がり端子部１２２ａに取り付けた場合について説明する。
【手続補正１０】
【補正対象書類名】明細書
【補正対象項目名】００４７
【補正方法】変更
【補正の内容】
【００４７】
また、本実施形態では、端子台２０は、端子台固定部１３の上面形状に合わせて四角形状に形成されているが、一方の縁部２０ｂが、出力リード線１２２ａの先端部１２２ａ１を折り曲げ係止可能なように、端子台固定部１３から突出して設けられて、突出部とされている。すなわち、本実施形態では、端子台２０の開口部２０ａから上方に突出した出力リード線１２２ａをそのまま開口部２０ａの縁部に押し当てるようにして端子台２０の一方の縁部側（図１では右側）に折り曲げ、その折り曲げ先端部をさら端子台２０の一方の縁部２０ｂに押し当てるようにして、下方に折り返すまで折り曲げることにより、出力リード線１２２ａの先端部１２２ａ１を端子台２０に係止固定することが可能となる。すなわち、端子台２０の開口部２０ａの縁部、及び端子台２０の一方の縁部２０ｂの２点をそれぞれ折り曲げ起点として、２回の折り曲げ工程を実施するだけで、出力リード線１２２ａの先端部１２２ａ１を端子台２０に確実に係止固定することが可能となる。これにより、出力リード線１２２ａの折り曲げ部分を端子台２０に半田付けする次の工程を安定して行うことが可能となり、ＩＥＣ規格に十分準拠した端子ボックスの取り付け構造とすることができる。また、従来技術のような半田付けのための出力リード線の引き回しスペースが不要となるため、端子ボックスに設けられるダイオードや他の配線などの配置自由度も高めることができるといった利点がある。
【手続補正１１】
【補正対象書類名】明細書
【補正対象項目名】００４８
【補正方法】変更
【補正の内容】
【００４８】
また、本実施形態では、ケース本体１１の適所に、底面から上面まで達する空気抜き孔１６を設けた構成としてもよい。ただし、この空気抜き孔１６は、端子台固定部１３から十分離れた位置に設けるものとする。端子ボックス１を太陽電池ストリング１１６のバックフィルム１２５に取り付けるため、端子ボックス１のケース本体１２の底面には、その周囲（全周であっても、例えば隅角部の４箇所等であってもよい）に接着用のシリコン樹脂１８が塗布されている。従って、端子ボックス１を太陽電池ストリング１１６のバックフィルム１２５上に接着固定すると、このシリコン樹脂１８の厚み分だけ、ケース本体１２の底面と太陽電池ストリング１１６のバックフィルム１２５との間に隙間Ｓができることになる。従って、空気抜き孔１６を設けることで、ポッティング材が開口部１４に流れ込むとき、開口部１４内部及び太陽電池ストリング１１６のバックフィルム１２５と端子ボックス１のケース本体１２の底面との隙間Ｓに存在している空気が、空気抜き孔１６から外部に抜けるため、ポッティング材を開口部１４内（より具体的には、開口部１４内の太陽電池ストリング１１６のバックフィルム１２５まで、さらには太陽電池ストリング１１６のバックフィルム１２５と端子ボックス１のケース本体１２の底面との隙間Ｓまで）確実に充填することができ、空隙の無い樹脂封止を行うことが可能となる。